Podtech/llm-jp-corpus-v4-ja_patent huggingface dataset:
(57)【要約】　　　（修正有）【課題】洗濯槽裏側と洗濯外槽内側を、直接掃除するブラシを提供する。【解決手段】洗濯機外枠１、洗濯外層枠３、洗濯外槽２、洗濯槽４に加工し、ブラシ６を洗濯外槽加工部７にセットし洗濯槽裏側及び、ブラシ１０を洗濯槽加工部１１にセットし洗濯外槽内側に付く石鹸カスや、黒カビの汚れを完全に落とすことが出来る、洗濯槽掃除ブラシ搭載の洗濯機である。【選択図】図１
2004141587.tif 000002
【特許請求の範囲】
【請求項１】
洗濯外槽を加工し、洗濯外槽にブラシをセットし洗濯槽の裏側を直接ブラシで掃除することを特徴とする洗濯槽掃除ブラシ。
【請求項２】
洗濯槽を加工し、洗濯槽にブラシをセットし洗濯外槽の内側を直接ブラシで掃除することを特徴とする洗濯外槽掃除ブラシ。
【請求項３】
洗濯機外枠と洗濯外槽枠及び洗濯槽枠を加工し、ブラシをセットすることを特徴とする請求項１と２記載の洗濯槽掃除ブラシ搭載の洗濯機。
【発明の詳細な説明】
【０００１】
洗濯物に黒いカビや石鹸カスが付着する。
【発明の属する技術分野】
この発明は、洗濯機の洗濯外槽をブラシで掃除する為の加工に関する。
この発明は、洗濯機の洗濯槽をブラシで掃除する為の加工に関する。
【０００２】
【従来の技術】
従来の洗濯槽掃除は、洗濯槽洗剤（クリナー）で行っていた。
【０００３】
【発明が解決しようとする課題】
しかしながら、以上の従来技術によれば、洗濯槽洗剤では、充分に汚れを落とす事が出来なかった。
そこで、この発明は、洗濯槽裏側と洗濯外槽内側を、直接掃除するブラシを提供することを課題とする。
【０００４】
【課題を解決する為の手段】
洗濯機の洗濯槽・洗濯槽枠・洗濯外槽・洗濯外槽枠・洗濯機外枠を加工し、洗濯槽及び洗濯外槽に、掃除ブラシをセットするまでの工程である。
以上の課題を解決する為に、
請求項１の発明は、洗濯外槽を加工し、洗濯外槽にブラシをセットし、洗濯槽の裏側を直接ブラシで掃除することを特徴とする洗濯槽掃除ブラシである。
請求項２の発明は、洗濯槽を加工し、洗濯槽にブラシをセットし、洗濯外槽の内側を直接ブラシで掃除することを特徴とする洗濯外槽掃除ブラシである。
請求項３の発明は、洗濯機外枠と洗濯外槽枠及び洗濯槽枠に加工し、洗濯槽及び洗濯外槽に掃除ブラシをセットすることを特徴とす請求項１及び請求項２記載の洗濯槽掃除ブラシ搭載の洗濯機である。
【０００５】
【発明の実施形態】
この発明の実施形態を、図１に示す。
洗濯槽掃除ブラシ６を洗濯外槽２にセットする為には、洗濯機外枠１に加工部９及び洗濯外槽枠３に加工部８、さらに洗濯外槽２に加工部７を施しす。
この発明の実施形態を、図２に示す。
洗濯外槽掃除ブラシ１０を洗濯槽４にセットする為には、洗濯機外枠１に加工部９と洗濯外槽枠３に加工部８及び洗濯槽枠５に加工部１２、さらに洗濯槽４に加工部１１を施す。
【０００６】
「実施形態の効果」
この実施形態によれば、掃除ブラシで、簡単に槽の汚れを落とす事が出来る。
【０００７】
「他の実施形態」
１、図１の実施形態では、洗濯外槽加工部７とブラシ６を数ヶ所設けても良い。
２、図２の実施形態では、洗濯槽加工部１１とブラシ１０を数ヶ所設けても良い又は、洗濯槽の強度を考慮しブラシ１０を分割し、洗濯槽にセットしても良いがその時は、図２の洗濯槽の加工状況とは異なる。
３、図１の実施形態では、ブラシ６のセットに付いては、洗濯外槽加工を考慮しブラシは着脱式、固定式でも方式は問わない。
４、図２の実施形態では、ブラシ１０のセットに付いては、洗濯槽加工を考慮し、ブラシは着脱式、固定式でも方式は問わない。
５、図１の実施形態では、掃除ブラシ６を、洗濯外槽２にセットする為に、洗濯外槽加工部７と洗濯外槽枠加工部８及び、洗濯機外枠加工部９を施す、又その他に掃除ブラシ６をセットする為に必要な箇所の追加加工も含む、さらに掃除ブラシ６のセット方法により、加工部の形及び加工位置が変わる場合もある。
６、図２の実施形態では、掃除ブラシ１０を、洗濯槽４にセットする為に、洗濯槽加工部１１と洗濯枠加工部１２及び、洗濯外槽枠加工部８と洗濯機外枠加工部９を施す、又その他に掃除ブラシ１０をセットする為に、必要な箇所の加工も含む、さらに性能を考慮し掃除ブラシ１０のセット方法により、加工部の形及び加工位置が変わる場合もある。
７、図１の実施形態では、ブラシ６、６−１、６−２は、商品、品種により材質、素材、形、長さは問わない。
８、図２の実施形態では、ブラシ１０、１０−１、１０−２は、商品、品種により材質、素材、形、長さは問わない。
９、図３、図４で横断面図を示したが、加工状況等で形は変わる。
１０、図５の実施形態では、槽を綺麗にする為に、ブラシハケ６−２、１０−２の配列、及びブラシハケ６−２、１０−２の本数は問わない。
１１、掃除ブラシをセットする商品には、全自動洗濯機、洗濯乾燥機、かくはん式、ドラム式洗濯機、その他いろいろな商品が有るが呼び名、名称は違う商品でも、構造が内槽及び外槽で構成される、二重槽の商品全般を対象とする。
１２、掃除ブラシをセットする、洗濯槽及び洗濯外槽には、ステンレス槽、プラスチック槽、槽にはいろいろな呼び名、名称は違うが槽を加工できれば材質素材は問わない。
１３、掃除ブラシをセットし、洗濯槽を回転させる掃除コース回路を設ける、（例えば右に１０回転、左に１０回転を数回繰り返す掃除コースが良いと思うが）又電気回路及び、槽の汚れ落ちを考慮し最善の回転数とし、回転数の指定はしない。
１４、図１、図２、図３、図４、図５、図６、の符号の名称は（メーカーにより）違うと思われるが、図を参考に呼び名、名称は問わない。
【０００８】
【発明の効果】
以上説明したように、この発明によれば、今まで不充分だった、洗濯槽裏側及び洗濯外槽内側の汚れを直接ブラシでこするので、完全に汚れを落とす事が出来る。
【０００９】
また、洗濯槽洗剤（クリーナー）では浸す時間が数時間かかり洗浄が不充分なのに対し、ブラシでは、数分で完全に槽を綺麗に掃除する事が出来る。
【図面の簡単な説明】
【図１】この発明の一実施形態を示す斜視図である。
【図２】この発明の一実施形態を示す斜視図である。
【図３】洗濯外槽加工部とブラシの横断面図である。
【図４】洗濯槽加工部とブラシの横断面図である。
【図５】ブラシの正面図である。
【図６】従来技術を示す斜視図である。
【符号の説明】
１　洗濯機外枠　　　２　洗濯外槽　　　３　洗濯外槽枠　　　４　洗濯槽
５　洗濯槽枠　　６　掃除ブラシ　６−１　ブラシ心棒　６−２　ブラシハケ
７　洗濯外槽加工部　　８　洗濯外槽枠加工部　　９　洗濯機外枠加工部
１０　掃除ブラシ　　１０−１　ブラシ心棒　　１０−２　ブラシハケ
１１　洗濯槽加工部　　１２　洗濯槽枠加工部
【図１】
2004141587.tif 000003
【図２】
2004141587.tif 000004
【図３】
2004141587.tif 000005
【図４】
2004141587.tif 000006
【図５】
2004141587.tif 000007
【図６】
2004141587.tif 000008
(57)【要約】　　　（修正有）【課題】坂を登りながら何時でも労力を必要とせずに後退を防止し停止が出来る車椅子を提供する。【解決手段】左右車輪の回転車軸１にツメを持つラチェットホイール２を取り付け、本体のフレーム３にはラチェットホイール２の爪と噛合うラチェット爪４を取り付ける。ラチェット爪４は支点ピン６により支持され、このピンを支点にラチェットホイール２にスプリング５の力により押し付けられている。矢印の方向に回転するとき、ラチェット爪４はラチェットホイール２の爪の形状により外側に開き、ラチェットホイール２はラチェット爪４と噛合わない為、車椅子の前進時には車輪は自由に回転が出来る。反対に矢印と反対の方向に回転する場合は、スプリング５の作用によりラチェットホイール２に押し付けられたラチェット爪４は、ラチェットホイール２の爪と噛合う事により、車輪の回転は妨げられ車椅子の後退は防止される。【選択図】図２
2004141586.tif 000002
【特許請求の範囲】
【請求項１】
車椅子の左右車輪の回転軸部とフレーム間にラチェット機構を利用した車椅子の後退防止装置。
ラチェット機構とは円盤状の外または内側に爪を持った物と、これに噛合う爪を示す。
【発明の詳細な説明】
【０００１】
【発明の属する技術分野】
本発明は、車椅子の左右車輪の回転車軸にラチェットホイールを取り付け、また車椅子のフレーム側にはラチェット爪を取り付ける、これらの組み合わせにより前進時は車輪が自由に回転が出来るが、後退時にはラチェット爪とラチェットホイールが噛合うことで車輪の回転が出来なくなり、上り坂での車椅子利用者の労力を軽減できるようにしたものである。またラチェット爪とラチェットホイールの噛合いを解除し保持することで従来の車椅子と同様に取り扱い使用する事が出来る。
【０００２】
【従来の技術】
従来、車椅子の車輪は前後方向に自由に回転が出来る構造で有る為、車椅子の利用者が登り坂に向かう時には、前進方向に回転させた手を素早く戻して車椅子が後退することの無いように、この動作を繰り返さなければならない。
また、坂の途中で停止する際には坂の勾配に対して車輪を直角方向に向けて勾配による車輪への回転力が働かないようにする等、不安定な動作と労力を利用者に強いられる。
【０００３】
【発明の実施の形態】
本発明は、車椅子のフレームと回転する車軸との間にラチェット爪とラチェットホイールを取り付ける事により、車椅子で坂を登る際に人力に依らず、また特別な動作を必要とする事なく後退を防止し、利用者及び介助の労力の軽減と安全が得られるものである。
また従来の車椅子と全く同等の使用方法が出来る為、特別な操作は必要としない。
【０００４】
【発明の効果】
この機構を取り付けることにより、坂を登る際に利用者は従来のように力をいれて車輪を回し続ける事無く、自由に手を休めて停止しながら坂を登る事が出来る為、労力の軽減と安全が得られる。
【図面の簡単な説明】
【図１】車椅子全体の正面図と側面図である。
【図２】車輪、車軸部の拡大図である。
【符号の説明】
１　回転車軸
２　ラチェットホイール
３　車椅子フレーム
４　ラチェット爪
５　スプリング
６　支点ピン
【図１】
2004141586.tif 000003
【図２】
2004141586.tif 000004
(57)【要約】【課題】照明器具の設置や電力コストを必要とせず、暗闇や夜間において幻想的な蛍光色を自然発光させることができ、さらに臭消や防汚効果も兼ね備えた十字架を提供すること。【解決手段】本発明の十字架（１）は、十字架形状を呈する基台（２）と、該基台（２）の表面に設けられた白色ペイント（１０）と、白色ペイント（１０）の表面に塗布された蓄光剤（１１）とで構成されている。【選択図】　　　図１
2004141582.tif 000002
【特許請求の範囲】
【請求項１】
十字架形状を呈する基台と、該基台の表面に設けられた白色ペイントと、白色ペイントの表面に塗布された蓄光剤とで構成されていることを特徴とする十字架。
【請求項２】
前記蓄光剤の表面に、金属酸化物ガラス膜を施した請求項１記載の十字架。
【請求項３】
前記基台を透明体とした請求項１または２記載の十字架。
【発明の詳細な説明】
【０００１】
【発明の属する技術分野】
本発明は、キリスト教の象徴である十字架において、特に、暗闇で蛍光色を自然発光させると共に、防汚効果も兼ね備えた十字架に関する。
【０００２】
【従来の技術】
従来より、キリスト教の象徴である十字架は、教会の建築物や堂内外の壁面、また、尖塔などに幅広く設置されている。また十字架は、礎にされた記念、尊敬、名誉、犠牲、贖罪、苦難の象徴とされるため、キリスト教徒においては、ペンダントやネックレスの一部として常に携帯されている。
【０００３】
通常の十字架は、木を十字形に組み合わせて作られており、設置される場所や用途に応じて形や大きさも多様化されている。また十字架の表面には、高貴で厳かなさまざまなデザインが施されている。
【０００４】
【発明が解決しようとする課題】
しかし、従来の十字架は、木を十字形に組み合わせて形成されており、夜間や暗闇においてはデザインや形状を視覚判断することができなかった。そのため、夜間においては照明器具の光を照射させる必要があり、器具稼働のための電力コストが必要となった。
【０００５】
また、屋外に装着されている十字架においては自然劣化すると共に、表面に塵や埃が付着して外観的にも見劣りするため、定期的に表面の塵埃を除去する必要が生じた。
【０００６】
本発明は上記の点に鑑み、照明器具の設置や電力コストを必要とせず、暗闇や夜間において幻想的な蛍光色を自然発光させることができ、さらに防汚効果も兼ね備えた十字架を提供することにある。
【０００７】
【課題を解決するための手段】
本発明の十字架は上記課題を達成するために、十字架形状を呈する基台と、該基台の表面に設けられた白色ペイントと、白色ペイントの表面に塗布された蓄光剤とで構成されている。そのため、十字架の蓄光剤部分にて、太陽光や照明器具の照射光を蓄光し、暗闇で十字架全体から蛍光色が自然発光される。
【０００８】
また、前記蓄光剤の表面に金属酸化物ガラス膜を施したことにより、表面に塵や埃が付着するのを軽減でき、さらに臭消効果も発揮することができる。
【０００９】
また、前記基台を透明体とすることにより、蓄光剤から発光される蛍光色が広範囲に放射され、発光輝度が一層向上される。
【００１０】
【発明の実施の形態】
本発明の十字架の実施の形態を図１乃至図４に基づいて説明する。なお、図１は本発明の十字架の全体斜視図、図２は前記十字架の拡大断面図、図３は他の好適例を示す十字架の拡大断面図、図４は十字架の発光状態を示す正面図をそれぞれ表す。
【００１１】
本発明の十字架１は、教会の建築物や堂内外の壁面、またキリスト教徒の携帯品として幅広く用いられるもので、十字架形状を呈する基台２と、該基台２の表面に設けられた白色ペイント１０と、白色ペイント１０の表面に塗布された蓄光剤１１とで構成されている。
【００１２】
前記基台２は、木材や金属、また合成樹脂等の素材で形成されている。また前記基台２の台部３はやや肉厚の十字架形状を呈しており、該台部３の上部には、湾曲状の凸部４が形成されている。
【００１３】
また、前記基台２の表面には、白色ペイント１０と蓄光剤１１が施されている。白色ペイント１０は、後述詳細の蓄光剤１１の発光輝度を向上させるもので、白色系の色彩を有するものであれば特に素材は限定されるものではない。また、蓄光剤１１は、溶剤と蓄光剤とを混合して形成されるもので、太陽光や照明器具の照射光を蓄光した場合、図４に示すように、暗やみで蓄光剤１１から蛍光色が自然発光される。
【００１４】
前記蓄光剤１１を構成する溶剤は、合成樹脂や天然樹脂を単独で、もしくは混合させそれぞれ液状化して形成される。また、前記溶剤に混合される蓄光剤は、周知の金属酸化物や希土類を複数混合し、さらに市販の展色剤を混合することにより形成される。なお、溶剤と蓄光剤との混合比は特に限定されたものではなく、混合比率を変更させることにより発光輝度を自在に調節することが可能となる。
【００１５】
また、前記蓄光剤１１の表面には金属酸化物ガラス膜１２が施こされている。金属酸化物ガラス膜１２は、加水分解可能な有機金属化合物を、水と有機溶剤とからなる反応液中において、ホウ素イオンの存在下でハロゲンイオンを触媒とし、ｐＨを４．５〜５．０に調整しながら加水分解、脱水縮合させた後、反応生成物を基材表面に塗布し、２００℃以下の温度でガラス化させることにより製造される。
【００１６】
また、金属酸化物ガラス膜１２は光触媒機能を保有するため、十字架１の表面に塵埃が付着することを軽減でき、外観面における劣化を防ぐことができる。また、金属酸化物ガラス膜１２は、耐候性、防錆性、耐酸性等のコーティング効果を有するため、屋外に設置された十字架１の色彩の劣化も防止できる。
【００１７】
また、他の好適例として、図３に示すように、前記基台２を透過性を有する透明体、例えばガラスや透明樹脂素材にて形成することが好ましい。そのことにより、基台２の凸部４がレンズの作用を発揮し、蓄光剤１１から発光される蛍光色が広範囲に放射され、発光輝度が一層向上される。
【００１８】
【発明の効果】
以上説明してきたように、本発明の十字架は、上述の構成とすることで以下に示す効果を奏するものである。
【００１９】
十字架形状を呈する基台と、該基台の表面に設けられた白色ペイントと蓄光剤とで構成されるため、十字架の蓄光剤部分が太陽光や照明器具の照射光を蓄光し、暗闇で十字架全体から蛍光色を自然発光させることができる。
【００２０】
また、前記蓄光剤の表面に金属酸化物ガラス膜を施したことにより、表面に塵や埃が付着するのを軽減できる。
【００２１】
さらに、基台を透明体とすることにより、蓄光剤から発光される蛍光色が広範囲に放射され、発光輝度が一層向上される。
【図面の簡単な説明】
【図１】本発明の十字架の全体斜視図を表す。
【図２】前記十字架の拡大断面図を表す。
【図３】他の好適例を示す十字架の拡大断面図を表す。
【図４】十字架の発光状態を示す正面図である。
【符号の説明】
１・・・十字架
２・・・基台
３・・・台部
４・・・凸部
１０・・白色ペイント
１１・・蓄光剤
１２・・金属酸化物ガラス膜
【図１】
2004141582.tif 000003
【図２】
2004141582.tif 000004
【図３】
2004141582.tif 000005
【図４】
2004141582.tif 000006
(57)【要約】【課題】歯科治療時、奥歯に冠を被せたり、充填したりと　この部分を切削する折、舌、頬部を切削器具から保護　或いは作業空間を確保する為、従来から歯科用ミラーを利用してきたが、目的外による為使い辛く　またその形態　大きさがネックとなり　時にはそれ自体が邪魔になることもあった。最後臼歯の頬側から後面にかけて著しく難しく、特に口の小さな女性　子供ではミラーを使おうが使わまいが困難であり、術者共々大変で、仕上がりにも影響した。また、圧排用の器具を別にするのにも　器具の整理上、使い勝手（振り向いて取り替えるのが時間のロスと大きな手間）、出費等の面でも有利では無かった。そして何より　この部分を簡単、有効に圧排できる物も無かった。【解決手段】有効に圧排出来る事、安全性、作業性、早く正確、患者　術者の疲労　出費を少なくということから　新しい物を従来からある物と組み合わせ機能的で　無駄の無い物の創作として、デンタルミラーの一方に新しいツールを加えて　より使い易さを目指した。【特許請求の範囲】
【請求項１】
奥歯を切削する時手軽、確実に、舌、頬部を必要最小限　圧排し、安全、且迅速に処置を行える
【請求項２】
限られた基本セットの中で有効に利用、また切削時に持つミラーと組み合わせることで取り替えることなく安全に効率アップを図れる。
【発明の詳細な説明】
【０００１】
【発明の属する技術分野】
歯科領域における臼歯切削時、安全且つ簡潔的に用いられる器具として。
【０００２】
【従来の技術】
デンタルミラーつまり、直径５ミリ長さ１５センチの棒状になった　もち手の先に直径２２ミリの真円ミラーが付いた物を用いて奥歯切削時、作業空間の確保　患者の口腔内の保護をしてきた。
【０００３】
【発明が解決しようとする課題】
従来のミラーでは、最後臼歯を切削する際　鏡部の直径が邪魔をして器具のヘッドが届かない、また逆にして軸の部分を利用すると充分な圧排の面積が得られなく、直径５ミリという太さが邪魔になる。得に口の小さな女性　子供になると困難。　また　その為のみに器具を増やすのにも制約がある。
【０００４】
【課題を解決するための手段】
口腔内が狭い患者に対しても必要最小限の作業空間を手軽に確実に得られ安全にスピーディーに行え得て、またその為にのみ器具を増やす必要のない事。
【０００５】
【発明の実施の形態】
歯科用ミラーのもち手部分の末端の形態を舌、頬部の軟組織を圧排し易く　且つ切削器具と干渉しないように、ミラー部から１０センチ位の部分から棒上の形態をじょじょに押しつぶしていく感じでテーパー状で広げ幅は７ミリ程度、厚さ２ミリ未満にし、尚且つ　最後臼歯の後面の作業空間を軟組織を傷つける事なく得られ易いようにリバースカーブを持たせた。
【０００６】
【発明の効果】
器具数制約という観点より、従来から基本セットの中にあるミラーと組み合わせる事により、器具数を増やすことなくスペース的　経済的　後片付けという点で優れるが、それより　手にした一つの器具で削ってはミラーで確認。　と簡単　且つ世話なく　安全に　容易く　正確に　スピーディーに作業ができる。　この事は術者のみならず　患者にとっても嬉しい事である。
【０００７】
【図面の簡単な説明】
【図１】舌、頬部圧排子付きミラーの平面図
【図２】舌、頬部圧排子付きミラーの側面図
【符号の説明】
１．ミラー面
２．ミラー部ともち手のジョイント部
３．圧排子部
４．リバースカーブ部分
【図１】
2004141584.tif 000002
【図２】
2004141584.tif 000003
(57)【要約】【課題】心拍に一致した血管内圧あるいは心内圧の変化を正確、簡便に測定し表示すること。【解決手段】血管内圧あるいは心内圧の信号を処理し心電図に同期させて計測し表示することにより、心拍に一致した血管内圧あるいは心内圧の変化をノイズ少なく詳細に観察し、計測することが可能となる。この装置は循環動態の診断と治療に有用な生体情報監視および診断装置である。【選択図】図１
2004141600.tif 000002
【特許請求の範囲】
【請求項１】
心電図に同期させることにより、動脈、中心静脈、肺動脈などの血管内圧あるいは心房、心室内の心内圧の心拍動サイクルに一致した波形の変化を計測する装置。
【請求項２】
請求項１の原理を用いて、心拍動サイクルに一致した圧波形成分の時間的変化あるいは値を表示し計測する装置。
【発明の詳細な説明】
【０００１】
【発明の属する分野】
本発明は呼吸循環機能を計測する装置に関するものである。
【０００２】
【従来の技術】
動脈、中心静脈、肺動脈などの血管内圧を測定し、それにより患者の循環動態を把握し、治療と診断を行うことは医療の分野で日常的に行われている。また循環器の診断においては心臓内圧の測定がカテーテル検査で行われている。通常、これらの血管内圧あるいは心臓内圧の波形は心電図波形とともにトランスデューサ、増幅器をもちいて横軸を時間として連続的に画面に表示されている。血管内圧および心内圧は心拍に一致して変動しており、単なる時間的な変化よりも、心拍に一致した変動が診断上しばしば重要となる。従来、心拍に一致した波形の変化をより詳しく観察するには、画面を一時的に静止させて、あるいは用紙に記録させて行っていた。
【０００３】
しかし、その操作を行っても心拍に一致した血管内圧の波形を詳細に観察、測定するには、その波形を心電図と見比べて行う必要があるために時間を要し、また正確さに欠けていた。とくに低圧系では圧波形の変化を実際におこっている変化とアーティファクトとの鑑別がしばしば困難であった。
【０００４】
【本発明が解決しようとする課題】
心電図波形とくにＱＲＳ波を基準としてタイミングを取り、同時に入力された血管内圧あるいは心内圧の信号を加算平均して表示すれば、心拍に一致した血管内圧あるいは心内圧波形をアーティファクトや呼吸による影響によるノイズを少なく計測しかつその波形を表示することある。
【０００５】
【課題を解決するための手段】
心電図と血管内圧あるいは心内圧を同時測定可能な生体情報監視装置より信号を得る。これは従来の装置を使用することも可能であるし、専用の装置を使用することも可能である。
請求項１にかかる装置をもちいて、マイクロプロセッサーを用いて心電図のＲ波を認識させるようにプログラムする。そして請求項２にかかる装置をもちいて心電図波形を基準として、心電図波形とともに血管内圧あるいは心内圧をモニターに表示して、計測する。
【０００６】
【発明の実施の形態】
心電図同期の方法としては、いくつか考えられるが、１例を挙げて具体的に述べる。生体情報監視装置により得られた心電図波形のうち、大きく電位が変動するＱＲＳ部分を計測器に認識させるようにプログラムし、マイクロプロセッサーに処理させる。心電図信号の最大値および平均値を計算し、最大値より一定の値だけ少ない部分（たとえば、（最大値−平均値）／２とするが、この値は任意である）をＱＲＳ波とし、そしてそのピークとなる点をＲ波として、装置に認識させそのタイミングを計測する（図１の上段）。マイクロプロセッサーに心電図Ｔ波と区別してＲ波を認識させるために、信号の大きさに加えて、波形の上昇率を用いることもプログラムでは工夫してもよい。この方法はＴ波がＲ波よりも信号の上昇率が小さい（急峻でない）ことを利用する。
【０００７】
この認識されたＲ波のタイミングを基準にして、すなわちＲ波同期を行って、同時に入力されている血管内圧あるいは心内圧信号を並べ替えることにより、心電図に同期した血管内圧あるいは心内圧波形を求めることができる（図１の下段）。その際に、血管内圧の信号を加算平均処理すればノイズの少ない平均血管内圧あるいは心内圧波形を表示できる。平均血管内圧を図示した。
【０００８】
この発明により、請求項２に記載したように、血管内圧あるいは心内圧を心拍サイクルの拡張期、弛緩期とに区別して観察、測定することも可能である。中心静脈圧を例にとると、ａ波、ｃ波ｖ波や三尖弁逆流波を容易に同定し、その値を計測することができる。
【０００９】
【本発明の効果】
本発明によれば、簡便かつ短時間で、心拍に一致した血管あるいは心内圧の変化を呼吸やアーティファクトなどの影響を少なくして正確に測定するとともに波形として表示できる。また心電図波形とともに表示することにより、心拍動サイクルの拡張期あるいは収縮期に相当した血管あるいは心内圧の変化を測定、評価ができる。したがって本発明の装置は、循環器疾患の診断、救急医療や麻酔、集中治療等の分野で循環動態の計測や監視装置として日常的に用いることができ有用である。
【００１０】
【図面の簡単な説明】
【図１】本発明の実施の形態を示す図。静脈圧を例にとって表示部分を示した。矢印より上段の図の波形は入力された心電図と静脈圧の信号を示す。マイクロプロセッサーを用いて心電図信号のＲ波を認識させ、そのタイミングを記録する。そして下段に示すようにそのタイミングをもちいて、同時に入力されている静脈圧信号をＲ波に同期させて、心電図波形とともに表示する。下段の静脈波形は加算平均したものを示している。
【図１】
2004141600.tif 000003
(57)【要約】【課題】従来、就寝中の体温を保つための寝具は、体全体か足先の保温を目的としており肩口の保温を目的とした夜具はなかった。睡眠中の生理現象として体温の低下と寝返りがある。一夜の睡眠で仰向け、俯せ、横臥を何回か繰り返すが特に横臥の時に肩が露出され肩口と夜具に大きな隙間が生じ肩口から寒気がは入り体温が奪われるため就寝中に起こる風邪の原因となっていた。このため肩口を防寒する夜具の発明が待たれていた。【解決手段】長方形等の布の一辺の中央部にＶ字形又はＵ字形等に切れ込みをつけた本発明の防寒夜具を肩まで覆われるように被せて掛けて、この上に更に掛け布団を掛ける。本発明の防寒夜具は横臥したとき肩を露出から守り肩口を蓋をしたようになるため寒気が入らなくなる。【選択図】図２
2004141596.tif 000002
【特許請求の範囲】
【請求項１】
長方形等の布一辺の中央部にＶ字形又はＵ字形等に切れ込みをつけた夜具
【発明の詳細な説明】
【０００１】
【発明の属する技術分野】
この発明は就寝中の肩口を防寒する夜具に関するものである。
【０００２】
【従来の技術】
寝具としての防寒夜具は布団、毛布、かいまき、タオルケット、電気毛布、電気敷布、電気あんか等がある。これらは体全体か足先の保温を目的としており肩口の保温を目的とした夜具はなかった。睡眠中の生理現象として体温の低下と寝返りがある。一夜の睡眠で仰向け、俯せ、横臥を何回か繰り返すが特に横臥の時に肩口が露出し、肩口と夜具に大きな隙間が生じ肩口から寒気がは入り体温が奪われ、就寝中に起こる風邪の原因となっていた。
【０００３】
【発明が解決しようとする課題】
就寝中の体温の保持は快適な安眠と風邪の予防のため必要な事である。就寝中の寝返りで横臥したとき肩が露出し、肩口と夜具に大きな隙間が生じ肩口から寒気がは入り体温が奪われ、就寝中に起こる風邪の原因となっていた。このため肩口の防寒が出来る夜具の発明が待たれていた。
【０００４】
【課題を解決するための手段】
首までは掛け布団や毛布等で覆われ防寒できるが、横臥したとき肩が露出し、掛け布団と肩口に隙間が出来て寒気が入る。このため本考案の長方形等の布の一辺にＶ字又はＵ字形等に切り込みを入れた布を肩まで覆われるように被せて掛けて、この上に更に掛け布団を掛ける。本考案の防寒夜具は毛布や掛け布団の縁に対し直角に覆われるので横臥したとき肩口に蓋をしたようになるため肩は露出せず寒気が入らなくなる。
【０００５】
【発明の実施の形態】
本発明の夜具は、図２に示されるように長方形等の布の一辺にＶ字又はＵ字形等の切り込みを入れたシンプルな形であ。　切れ込みを首まで被せ、その左右の布は両肩を覆う。この夜具に覆われた肩は寝返りを打っても肩と夜具がフィットしているため肩は露出しない。　従前のような肩口に生じる隙間がなくなるため体温を奪われる事がない。また、この夜具は毛布と掛け布団の間に挟んで使用するので寝相の悪い人が寝返りを打っても殆どずれない。
この夜具は、全身を覆う長さは必要でなく、胸位から肩口を被せる長さで良い。
この夜具は、首や顔に直接触れ、汚れ易いがミニサイズなので洗濯が容易で掛け布団カバーの代わりにもなる。
【０００６】
【発明の効果】
本発明は、以上の構成だから肩口を覆う事が出来る。また寝返りを打っても肩が露出しないため肩口から寒気が入らないので就寝中の風邪の予防となり健康を守れて便利である。
【図面の簡単な説明】
【図１】本発明の斜視図
【符号の説明】
１．敷き布団
２．枕
３．本考案の肩口防寒夜具
４．掛け布団
５．顔
６．Ｖ字形又はＵ字形に切れ込み
【図１】
2004141596.tif 000003
【図２】
2004141596.tif 000004
【手続補正書】
【提出日】平成15年1月29日(2003.1.29)
【手続補正２】
【補正対象書類名】明細書
【補正対象項目名】図面の簡単な説明
【補正方法】変更
【補正の内容】
【図面の簡単な説明】
【図１】本発明を使用して就寝した時の使用斜視図（平面図）である。
本発明の斜視図
【図２】本発明の平面図である。
【符号の説明】
１．敷き布団
２．枕
３．本発明の肩口防寒夜具
４．掛け布団
５．顔
６．Ｖ字型又はＵ字型等の切り込み
(57)【要約】【課題】振り子の原理を応用したもので、パター上部に支点となるフック、又は、心棒を直角に、手前方向に設けることによって片方の手で支点を作り、もう一方の手で振る振り子型パターを提供する。【解決手段】パターシャフト（２）上部にシャフトと直角に、手前方向にフック（３）、一体化された心棒（４）又は、ネジ止めされた心棒（７）を設ける。【選択図】　　図３
2004141597.tif 000002
【特許請求の範囲】
【請求項１】
パターシャフト（２）にシャフトと直角に、手前方向にフック（３）、一体化された心棒（４）又は、ネジ止めされた心棒（７）を設けたパター。
【発明の詳細な説明】
【０００１】
【発明の属する技術分野】
この発明は、振り子の原理を応用したもので、パター上部に支点となるフック又は心棒を直角に、手前に設けることによって、片方の手で支点を作り、もう一方の手で振るパターに関するものである。
【０００２】
【従来の技術】
従来より、パターはカップを狙った時、方向を定め左右へのブレを無くし、カップまでの距離を合わせ、両方ともうまく行った時にカップインする。それらがうまく噛み合わない時、ボールは逸れてカップを外してしまう。
【０００３】
【発明が解決しようとする課題】
これには、次のような欠点があった。
パターをする時、方向を定めたつもりでも両腕の操作のため、ちょっとした加減で引っかけたり、押し出したりして方向が定まらず、狙い通りの方向へ打ち出すことができないことがあった。従ってカップインしないことがあった。
本発明は、以上の欠点を解決するためになされたものである。
【０００４】
【課題を解決するための手段】
パターシャフト（２）上部にシャフトと直角に、手前方向にフック（３）、一体化した心棒（４）又はネジ止めされた心棒（７）を設ける。
本発明は、以上の構成よりなる振り子型のパターである。
【０００５】
【発明の実施の形態】
以下、本発明の実施の形態を説明する。
（イ）パターシャフト（２）上部に支点となるフック（３）を手前方向に、直角に設ける。
（ロ）パターシャフト（２）上部に支点となる一体化した心棒（４）を手前方向に、直角に設ける。一体化した心棒（４）が回転できるように内径がわずかに大きい筒状のグリップを取り付ける。
（ハ）パターシャフト（２）上部に支点となる心棒の延長をシャフトとネジ止めして、ネジ止めされた心棒（７）をシャフトと直角に手前方向に設ける。ネジ止め（６）は、締め切らないでネジ止めされた心棒（７）を中心にシャフトが回転するようにする。
本発明は、それぞれの構成よりなっている。
本発明を使用するときは、
（イ）パターシャフト（２）上部に設けられているフック（３）は、支える方の手の人差し指に引っかけて狙いを定める。フック（３）は、滑車の溝状に作ってあるため、人差し指がレール代わりになり、左右のブレが少なくなり、方向性が良くなる。もう一方の手で距離を合わせ振り出して使用する。
（ロ）パターシャフト（２）上部に支点となる一体化した心棒（４）をシャフトと直角に手前方向に設ける。一体化した心棒（４）より内径がわずかに大きい筒状のグリップを取り付ける。その筒状のグリップ（５）を一方の手で胸の前で支え、方向を定める。そうすると筒状のグリップ（５）内のシャフトと一体化した心棒（４）とシャフトを振ることができる。
（ハ）パターシャフト（２）上部に支点となる心棒の延長をシャフトとネジ止め（６）して手前方向に、直角に心棒を設ける。ネジ止めされた心棒（７）は、ネジを締め切らないでつないでいるため、シャフトはネジ止めされた心棒（７）を中心に回転する。振り子のようにパターヘッドが動くようになる。
以上の結果、狙った方向にボールを打ち出すことができるものである。
【０００６】
【発明の効果】
本発明を使用することによって、狙ったラインをほぼ真上から見ることができて方向を定め易くなり、片方の腕は胸のあたりの体の近いところで固定することができて支点となるフック、心棒を利用するため方向性がよくなり、引っかけや押し出しの左右へのブレを解決する。狙った方向へとボールを打ち出すことができるため、距離感のみに集中することができるのでパターがやり易くなるものである。
【図面の簡単な説明】
【図１】本発明のフック利用の正面図
【図２】本発明の重心を考えたフック利用の正面図
【図３】本発明の一体化された心棒利用の正面図
【図４】本発明の重心を考えた一体化された心棒利用の正面図
【図５】本発明のネジ止めされた心棒利用の正面図
【図６】本発明の重心を考えたネジ止めされた心棒利用の正面図
【符号の説明】
１　パターヘッド
２　シャフト
３　フック
４　一体化された心棒
５　筒状のグリップ
６　ネジ止め
７　ネジ止めされた心棒
８　グリップ
９　バランスを取る重り
【図１】
2004141597.tif 000003
【図２】
2004141597.tif 000004
【図３】
2004141597.tif 000005
【図４】
2004141597.tif 000006
【図５】
2004141597.tif 000007
【図６】
2004141597.tif 000008
(57)【要約】［課題］　従来のパターヘッドのトウ側（１）とヒール側（２）は　打面（３）と直角　あるいは　それに類する形状で構成されている。それを解消　解決し　提供する。［解決手段］　トウ側（１）とヒール側（２）とを打面（３）に対し　９０°以上の斜辺に構成した事を特徴とする。【選択図】　図１
2004141594.tif 000002
【特許請求の範囲】
【請求項１】
トウ側（１）とヒール側（２）を打面（３）に対し９０°以上の斜辺にしたパターヘッド
【発明の詳細な説明】
この発明は　ゴルフクラブのパターヘッドに関するものである。
従来のパターヘッドのトウ側（１）及びヒール側（２）は打面（３）に対し　直角あるいは　それに類する形状　構造である。
その為　トウ側の仮想線（７）とヒール側の仮想線（８）とセンターライン（５）とセンターラインの仮想線（９）とが交差せず目標に対し　正確にセッティングできない欠点があった。
本発明は　その欠点を解消　解決するために発明したものである。それを図面について説明すれば　トウ側（１）及びヒール側（２）を打面（３）に対し　９０°以上の斜辺にする事によって　従来のパターヘッドの欠点を解消　解決するものである。
即ち　図示からも容易に理解できるように　トウ側の仮想線（７）とヒール側の仮想線（８）が交差し　その交点にセンターラインの仮想線（９）が三重交点となる。よって　その三重交点の先を目標方向　あるいは　目標ラインに向ける事によって　正確に　打面（３）を目標方向　あるいは　目標ラインに向ける事ができ　正確にパッティングができるのである。よって　従来のパターヘッドよりも　方向性が良くなるのである。更には　その形状　構造からも判るとおり　その効果として　従来のパターヘッドに較べ　重心深度がより深くなる。重心深度が深くなれば　方向性が良くなる事は公知の理論であり　公知の事実である。更に　重心深度が深くなる事により　インパクト時に　よりボールに衝撃を与える事になり　ボールの転がりも良くなるのである。
本発明のパターを長年コースで使用しているが
１・トウ側とヒール側の斜辺効果で　従来のパターヘッドに較べコンパクトなヘッド感があり　その分　精神を集中してパッティングできるのである。
２・トウ側とヒール側の斜辺効果で　構え易く　目標方向に　正確にセッティングし易く　ポンと構えて　ポンと打てる安堵感が生まれるのである。
３・トウ側とヒール側の斜辺効果と　その形状　構造からの特性で重心深度が深くなる故　方向性の精度を高め　ラインに乗せ易いのである。又　それ故　ストロークが安定し　ストロークのイメージが湧くのである。
４・本発明のパターヘッドの形状　構造　効果により　従来のパターヘッドにない打球感が　距離感の充実を生んでいるのである。そして　常に目標に対し　真っ直ぐに構えられるのが最大の魅力である。直　本発明のパターヘッドは　シャフト取り付け部（６）にシャフトを差込み使用するものである。
【図面の簡単な説明】
【図１】本発明の平面図である。
【図２】本発明のＡ−Ａ線断面図である。
【符号の説明】
１はトウ側　　　　　　　　　　６はシャフト取付部
２はヒール側　　　　　　　　　７はトウ側の仮想線
３は打面　　　　　　　　　　　８はヒール側の仮想線
４はセンターマーク　　　　　　９はセンターラインの仮想線
５はセンターライン
【図１】
2004141594.tif 000003
【図２】
2004141594.tif 000004
(57)【要約】［課題］薬剤を目に噴霧するアイ・スプレーを平成７年に出願しているが、これをずっと使い易く改善したい。［解決手段］小型スプレーにおいて、噴霧口に、噴霧が人の目の大きさくらいの広がりに纏まるように、フードを設けて、主として自分が自分の目に薬剤を噴霧できるようにした、アイスプレー（点眼用噴霧器）。【選択図】図１
2004141595.tif 000002
【特許請求の範囲】
【請求項１】
小型スプレーにおいて、噴霧口に、噴霧が人の目の大きさくらいの広がりに纏まるように、フードを設けて、主として自分が自分の目に薬剤を噴霧できるようにした、アイスプレー（点眼用噴霧器）。
【請求項２】
「請求項１」のアイスプレーにおいて、薬剤を装填して一体化して使い捨て式にした、アイスプレー。
【請求項３】
「請求項１」のアイスプレーにおいて、薬剤を詰替え式に装填した、アイスプレー。
【発明の詳細な説明】
【０００１】
［発明の属する技術分野］
薬剤を目に噴霧するようにした点眼薬に関するものである。
【０００２】
［従来の技術］
平成７年５月２３日受付で「アイ・スプレー（実願平７−６３１７）」を出願している。
【０００３】
［発明が解決しようとする課題］
アイ・スプレーを成る丈目中心に噴霧できるようにしたい。また、一つのスプレーをいろいろに使えるものも出したい。
【０００４】
［課題を解決するための手段］
「特許請求の範囲」の通りである。
【０００５】
［発明の実施の形態］
同じく「特許請求の範囲」に述記してある。
【０００６】
（公序良俗違反につき不掲載）
【図面の簡単な説明】
【図１】図面は本発明の簡単な斜視図である。
【図１】
2004141595.tif 000003
(57)【要約】【課題】歯科用ミラーにおいて、歯の細かいところ及び裏側を見やすくする。【解決の手段】ミラー部Ａ及びミラー支持プレート部Ｂの両方を直線で分割し、その分割した直線に蝶番Ｃを取り付けて、蝶番Ｃの両脇の二つのミラー部Ａが蝶番Ｃを中心に回転できるようにし、ミラー支持プレート部Ｂと柄部Ｄの間に回転装置Ｆを取り付けて、回転装置Ｆの働きで柄部Ｄに対してミラー支持プレート部Ｂを自由に回転できるようにした、以上のことを特徴とする歯科用多面ミラー。【選択図】　　図１
2004141593.tif 000002
【特許請求の範囲】
【請求項１】
歯科用ミラーにおいて、ミラー支持プレート部を直線で二つに分割し、ミラー支持プレート部を二つに分割した直線に蝶番を接続して取り付け、蝶番の両脇に二つに分割したミラー支持プレート部を接続して取り付け、蝶番の両脇の二つのミラー支持プレート部が蝶番の働きで蝶番を中心に回転できるようにし、蝶番に回転停止装置を取り付け、蝶番に取り付けた回転停止装置の働きで蝶番の両脇の二つのミラー支持プレート部を自由な角度で止めることができるようにし、二つのミラー支持プレート部にミラー部を取り付け、ミラー支持プレート部と柄部の間に回転装置を取り付け、回転装置の働きで柄部に対してミラー支持プレート部を自由な角度に回転できるようにし、回転装置に回転停止装置を取り付け、回転装置に取り付けた回転停止装置の働きで柄部に対してミラー支持プレート部を自由な角度で止めることができるようにした、以上のことを特徴とする歯科用多面ミラー。
【請求項２】
歯科用ミラーにおいて、ミラー部を二つに分割し、分割した二つのミラー部の反射鏡を１８０度未満の角度で接続して取り付けた、以上のことを特徴とする歯科用多面ミラー。
【発明の詳細な説明】
【０００１】
【発明の属する技術分野】
歯科用多面ミラーの技術。
【０００２】
【従来の技術】
歯科用ミラーはミラーが一面なので細かいところ及び裏側が見にくい。
【０００３】
【発明が解決しようとする課題】
歯科用ミラーにおいて、歯の細かいところ及び裏側を見やすくする。
【０００４】
【課題を解決するための手段】
ミラー部Ａ及びミラー支持プレート部Ｂの両方を直線で分割し、その分割した直線に蝶番Ｃを取り付けて、蝶番Ｃの両脇の二つのミラー部Ａが蝶番Ｃを中心に回転できるようにし、ミラー支持プレート部Ｂと柄部Ｄの間に回転装置Ｆを取り付けて、回転装置Ｆの働きで柄部Ｄに対してミラー支持プレート部Ｂを自由に回転できるようにした、以上のことを特徴とする歯科用多面ミラー。
【０００５】
【発明の実施の形態】
歯科用ミラーにおいて、ミラー支持プレート部Ｂを直線で二つに分割し、ミラー支持プレート部Ｂを二つに分割した直線に蝶番Ｃを接続して取り付け、蝶番Ｃの両脇に二つに分割したミラー支持プレート部Ｂを接続して取り付け、蝶番Ｃの両脇の二つのミラー支持プレート部Ｂが蝶番Ｃの働きで蝶番Ｃを中心に回転できるようにし、蝶番Ｃの軸の表面にスプリングを使用した可動式の半球形の突起を取り付け、蝶番Ｃの軸に接する軸受けの内側に円形の穴を取り付けて、蝶番Ｃに凹凸式の回転停止装置を取り付け、蝶番Ｃに取り付けた回転停止装置の働きで蝶番Ｃの両脇の二つのミラー支持プレート部Ｂを自由な角度で止めることができるようにし、二つのミラー支持プレート部Ｂにミラー部Ａを取り付け、ミラー支持プレート部Ｂと柄部Ｄの間に回転装置Ｆを取り付け、回転装置Ｆは円錐軸受けとし、回転装置Ｆの働きで柄部Ｄに対してミラー支持プレート部Ｂを自由な角度に回転できるようにし、円錐軸受けの軸の表面にスプリングを使用した可動式の半球形の突起を取り付け、円錐軸受けの軸に接する軸受けの内側に円形の穴を取り付けて、回転装置Ｆに凹凸式の回転停止装置を取り付け、回転装置Ｆに取り付けた回転停止装置の働きで柄部Ｄに対してミラー支持プレート部Ｂを自由な角度で止めることができるようにした、以上のことを特徴とする歯科用多面ミラー。
【０００６】
【実施例】
図１のように、ミラー支持プレート部Ｂを直線で二つに分割し、ミラー支持プレート部Ｂを二つに分割した直線に蝶番Ｃを接続して取り付け、蝶番Ｃの両脇に二つに分割したミラー支持プレート部Ｂを接続して取り付け、蝶番Ｃの両脇の二つのミラー支持プレート部Ｂが蝶番Ｃの働きで蝶番Ｃを中心に回転できるようにし、蝶番Ｃに回転停止装置を取り付け、蝶番Ｃに取り付けた回転停止装置の働きで蝶番Ｃの両脇の二つのミラー支持プレート部Ｂを自由な角度で止めることができるようにし、二つのミラー支持プレート部Ｂにミラー部Ａを取り付け、ミラー支持プレート部Ｂと柄部Ｄの間に回転装置Ｆを取り付け、回転装置Ｆの働きで柄部Ｄに対してミラー支持プレート部Ｂを自由な角度に回転できるようにし、回転装置Ｆに回転停止装置を取り付け、回転装置Ｆに取り付けた回転停止装置の働きで柄部Ｄに対してミラー支持プレート部Ｂを自由な角度で止めることができるようにした、以上のことを特徴とする歯科用多面ミラー。
【０００７】
【発明の効果】
歯科用ミラーにおいて、歯の細かいところ及び裏側が見やすくなる。
【図面の簡単な説明】
【図１】ミラー部Ａ及びミラー支持プレート部Ｂの両方を直線で貫通して分割し、その分割した直線に蝶番Ｃを取り付けて、ミラー支持プレート部Ｂと柄部Ｄの間に回転装置Ｆを取り付けた歯科用多面ミラー。
【符号の説明】
Ａ　　ミラー部
Ｂ　　ミラー支持プレート部
Ｃ　　蝶番
Ｄ　　柄部
Ｅ　　ホルダ
Ｆ　　回転装置
【図１】
2004141593.tif 000003
【手続補正書】
【提出日】平成15年2月21日(2003.2.21)
【手続補正１】
【補正対象書類名】明細書
【補正対象項目名】特許請求の範囲
【補正方法】変更
【補正の内容】
【特許請求の範囲】
【請求項１】
歯科用ミラーにおいて、ミラー部を二つに分割し、分割した二つのミラー部の反射鏡を１８０度未満の角度で接続して取り付けた、以上のことを特徴とする歯科用多面ミラー。
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
歯科用ミラーにおいて、ミラー支持プレート部を直線で二つに分割し、ミラー支持プレート部を二つに分割した直線に蝶番を接続して取り付け、蝶番の両脇に二つに分割したミラー支持プレート部を接続して取り付け、蝶番の両脇の二つのミラー支持プレート部が蝶番の働きで蝶番を中心に回転できるようにし、蝶番に回転停止装置を取り付け、蝶番に取り付けた回転停止装置の働きで蝶番の両脇の二つのミラー支持プレート部を自由な角度で止めることができるようにし、二つのミラー支持プレート部にミラー部を取り付け、ミラー支持プレート部と柄部の間に回転装置を取り付け、回転装置の働きで柄部に対してミラー支持プレート部を自由な角度に回転できるようにし、回転装置に回転停止装置を取り付け、回転装置に取り付けた回転停止装置の働きで柄部に対してミラー支持プレート部を自由な角度で止めることができるようにした、以上のことを特徴とする歯科用多面ミラー。
【手続補正２】
【補正対象書類名】明細書
【補正対象項目名】０００２
【補正方法】変更
【補正の内容】
【０００２】
【従来の技術】
歯科用ミラーはミラーが一面なので細かいところ及び裏側が見にくい。先行技術文献としては、特許第３０１２１１９号、特許第３００１１５５号などがある。
(57)【要約】【課題】高齢者や疾患を持ちベッド上での生活を余儀なくされる介護を必要とする方々の身体をベッド上でサポートすることにより、残存機能を生かし、日常生活動作の拡大や意欲の向上をはかる。【解決手段】テーブルの高さ、角度を自在に調整し、テーブルの上面及び肘掛け部分にラバーシートを用いて身体を支持する。【選択図】　図１
2004141598.tif 000002
【特許請求の範囲】
【請求項１】
テーブルの両サイドに図１に示すように高さ調節部分を４箇所作り、（１．２．３．４）の部品を用いて（１．２）のそれぞれの穴を組み合わせて（３）のネジを通すことにより、何段階にでも高さを調整できる。
【請求項２】
両サイドの４箇所の調節部を用いて、高さをそれぞれ変えることでテーブルの前後の角度が調整できるため、足もとを高く、肘掛け部分を低くしたりという具合に身体に合わせることができる。
【請求項３】
テーブル上面にラバーシート（５）を取り付けることにより、テーブルの角度を変えても食物や食器が転げにくい。又、肘が滑らない。
【請求項４】
柵への取り付け部品（１）の内側にラバーシート（６）を取り付けることによりテーブルに体重を加えても、前へ滑らない。
【請求項５】
柵のあるテーブルであれば長さの異なる円柱パイプ（７）を（３）にはめることにより、幅の調整ができるので、どのようなベッドでも着脱が可能である。
【発明の詳細な説明】
【０００１】
【発明の属する技術分野】
本発明は、介護用家具に関する。
【０００２】
【従来の技術】
ベッド柵へ取り付けるオーバーテーブルのほとんどはテーブルの両サイドを柵へ掛ける簡易的なものである。
【０００３】
【発明の目的】
加齢や疾患による身体の機能的変化により、ベッド上での生活を余儀なくされる介護を必要とする方々に対し、個々の状況に合わせて調整できるオーバーテーブルを使用することにより、残存機能を生かし日常生活動作の拡大や意欲の向上をはかる。又、介護する方々を支援する。
【０００４】
【発明が解決しようとする課題】
従来の柵へ掛けるテーブルでは高齢者や疾患を持った方々に対し身体を支えるテーブルではなかったため、ベッドの背もたれを上げると身体が左右に倒れたりベッドの下方へ滑り落ちることがありました。筋力低下や麻痺のある方は自力で手を挙げる動作が難しく自分で食事を口元へ運べないことがありました。高齢で背が縮んだり背骨が曲がっていたり、又、拘縮で身体が変形している場合では目線が低くなるため、従来のテーブルでは食事が見えにくく、一人でおいしく見ながら食べるためには高さを自在に変える必要がありました。しかし、長期臥床等で下肢の屈曲拘縮がある場合、目線に合わせてテーブルを下げると足に当るためテーブルの角度を身体に合わせて変える必要がありました。
【０００５】
【改良点のポイント】
高さ調整によりどのような身長差にも対応できる。
下肢の屈曲拘縮に合わせてテーブルの前後の角度が変えられる。
滑り止めの着いた肘掛けにより両腕を載せることで身体を支持し体重を分散して長時間の坐位を可能にする。
テーブル使用時の安定性を得るために柵への取り付け部分やテーブル上面にラバーシートを用いて滑り止めにする。
【０００６】
【実施事例】
９０才男性　肺炎で入院。もともと介助で歩行できていたが、高齢で日中でも眠っていることが多くなり筋力低下が見られて坐ると右に傾き、クッションで支えるがずれるため、最後まで安定して食事が取れなかった。又、時間がかかることが苦痛となって食べる量にむらがあった。
【０００７】
【発明の効果】
クッションでは支えきれず疲労感が増していたが、このテーブルを使用すると身体が安定し、食べる量が次第に増え、同時に筋力の回復もみられて車椅子へ一人で移動可能となった。
【図面の簡単な説明】
【図１】テーブルを柵へ取り付けた図である。
【図２】高さ調節部分の正面図である。
【図３】高さ調節部分の立体図である。
【図１】
2004141598.tif 000003
【図２】
2004141598.tif 000004
【図３】
2004141598.tif 000005
(57)【要約】【課題】従来は、嵌め合い型ブロックでは直方体のみで構成されていて、連結面は上下しかなかった。そのためブロック造形の展開していく方向は、直方体の上下前後左右の８方向に制約されていた。その制約をなくし、自由な造形を発想、創造できるブロック型積み木遊戯具を提供する。【解決手段】単位ブロックの形状種類に正三角錐、正四角錘、正三角柱の三角形面をもつ単位ブロックを加えることを特徴とし、さらに、単位ブロックの少なくとも一つの面が、凹部面あるいは凸部面であるようにする。【選択図】　図１
2004141591.tif 000002
【特許請求の範囲】
【請求項１】
構成するすべての単位ブロックの各辺が同じ長さで正三角錐、正四角錘、正三角柱および立方体で構成され、また単位ブロック体の少なくとも一つの面が、凸部を有する面あるいは凹部を有する面のいずれかで構成される嵌め合い型ブロック積み木。
【発明の詳細な説明】
【０００１】
【発明の属する技術分野】
本発明は構成するすべての単位ブロックの各辺が同じ長さの正三角錐、正四角錘、正三角柱および立方体で構成され、単位ブロックの少なくとも一つの面が、凸部がある面あるいは凹部がある面で構成され単位ブロックの連結の自由度を増すようにした嵌め合い型ブロック積み木遊戯具に関するものである。
【０００２】
【従来の技術】
従来、嵌め合い型ブロック遊戯具では直方体の単位ブロックで構成され、単位ブロックは凹部と凸部は各１面でできていた。
【０００３】
【発明が解決しようとする課題】
それでも種々の物体を造形、模造することができたが、ブロック造形の展開していく方向は直方体の上下前後左右の８方向に制約されていた。
【０００４】
【課題を解決するための手段】
構成するすべてのブロックの各辺が同じ長さで正三角錐、正四角錘、正三角柱および立方体で構成され、また単位ブロック体の少なくとも一つの面が、凸部をもつ面あるいは凹部をもつ面からなることで、上記課題を解決する。
【０００５】
【実施例】
単位ブロックの例を図１から図４に示す。単位ブロックの連結は三角形を持つ面は三角形を持つ面と、四角形を持つ面は四角形を持つ面とできる。また、単位ブロックの三角形面は連結する他の単位ブロックの三角形面の頂点を他の頂点に変更しても嵌め合いあえるようになっているものである。四角形も同様である。
また、嵌め合い用の凸部および凹部の対の数は図の３対、４対に限定されず、１対でもよいし、いくつでもよい。また連結に支障がなければ対でなくてもよい。
嵌め合いの凸部の断面は円形である。凹部の断面は四角形だが、三角形でも他の形でもよい。本嵌めあいは摩擦力で保持するものであり、簡単に脱着できて、さらに連結したあと一方をぶら下げても離れない程度の摩擦力であればよい。
【０００６】
【発明の効果】
本発明は、上下前後左右あるいはそれ以外にも展開できるし、正四角形、正三角形を基本の形にしているためさらに自由な造形を発想、創造できるものである。
【図面の簡単な説明】
【図１】本発明の正三角錐基本ブロックの斜視図である。
【図２】本発明の正四角錘基本ブロックの斜視図である。
【図３】本発明の正三角柱基本ブロックの斜視図である。
【図４】本発明の立方体基本ブロックの斜視図である。
【符号の説明】
１・・・嵌め合い用の凸部。　　　２・・・嵌め合い用の凹部。
【図１】
2004141591.tif 000003
【図２】
2004141591.tif 000004
【図３】
2004141591.tif 000005
【図４】
2004141591.tif 000006